(57)【要約】【課題】錠剤をスライド方式を採用せずに取り出すことにより、錠剤に擦り傷が付くなどして、その錠剤の品質を劣化させてしまうことなく、しかも密閉性を良くして湿気による錠剤の品質劣化を防止した錠剤用容器を提供する。【解決手段】底板１に内周壁２を立設した平坦形状の容器体３と、この容器体３の内周壁２に嵌め込まれる外周壁４を天板５に垂設した蓋体６とからなり、前記容器体３には、底板１の一側端に一個の錠剤Ｔが入り込む挿入孔７を複数個、並設すると共に、これら挿入孔７を下方から閉鎖したり開放したりする開閉体８を取り付けたものとし、前記蓋体６には、前記容器体３の内周壁２の少なく上周端部が嵌め込まれる周溝６ａを、外周壁４の内周に形成した。【選択図】図１
2018144827.tif 000002
【特許請求の範囲】
【請求項１】
底板（１）に内周壁（２）を立設した平坦形状の容器体（３）と、この容器体（３）の内周壁（２）に嵌め込まれる外周壁（４）を天板（５）に垂設した蓋体（６）とからなり、前記容器体（３）には、底板（１）の一側端に一個の錠剤（Ｔ）が入り込む挿入孔（７）を複数個、並設すると共に、これら挿入孔（７）を下方から閉鎖したり開放したりする開閉体（８）を取り付けたものとし、前記蓋体（６）には、前記容器体（３）の内周壁（２）の少なく上周端部が嵌め込まれる周溝（６ａ）を、外周壁（４）の内周に形成したことを特徴とする錠剤用容器。
【請求項２】
前記容器体（３）の底板（１）には、収容した錠剤（Ｔ）を挿入孔（７）側に案内する上り傾斜部（１ａ）を形成したことを特徴とする請求項１記載の錠剤用容器。
【請求項３】
前記容器体（３）の底板（１）には、収容した錠剤（Ｔ）を挿入孔（７）側に案内する上り傾斜部（１ａ）と、この上り傾斜部（１ａ）に連接する上底部（１ｂ）を形成したことを特徴とする請求項１記載の錠剤用容器。
【請求項４】
前記蓋体（６）の天板（５）には、容器体（３）内に収容した錠剤（Ｔ）との隙間を調節するための複数のリブ（９）を形成したことを特徴とする請求項１〜３の何れかに記載の錠剤用容器。
【請求項５】
前記挿入孔（７）の下方周囲には、入り込んだ錠剤（Ｔ）を案内するための円筒体（７ａ）を設けたことを特徴とする請求項１〜４の何れかに記載の錠剤用容器。
【請求項６】
前記開閉体（８）は、両側部に突設した支持アーム（１５）のそれぞれの先端の外方に係止体（１６）を設けたものとし、これら係止体（１６）を前記蓋体（６）の外周壁（４）の両側壁（４ａ）に対向させて設けた係止孔（１７）に内方から嵌め込むことにより、容器体（３）に回動自在として取り付けられたことを特徴とする請求項１〜５の何れかに記載の錠剤用容器。
【請求項７】
前記開閉体（８）は、帯状部（１８）を介して容器体（３）の底板（１）と一体に成形することにより、容器体（３）に回動自在として取り付けられたことを特徴とする請求項１〜５の何れかに記載の錠剤用容器。
【発明の詳細な説明】
【技術分野】
【０００１】
この発明は、医薬品、医薬部外品、サプリメント、菓子、調味料等の錠剤を収容し、収容したこれらの錠剤を定量ずつ取り出すことのできる錠剤用容器に関するものである。
【背景技術】
【０００２】
従来、このような錠剤用容器は、天面、側面、前面、後面及び底面を有する外箱と、この外箱に設けられた揚げ底と前記底面の間に形成された空洞部の間を移動するスライド箱の二つの部品からなるものとしている。そして、前記外箱の前面及び後面の両側下部には三角形状の切欠部が設けられ、これら切欠部から計量室を有するスライド箱が露出していて、この部分でスライド箱を操作できるようにしている（特許文献１）。
【０００３】
このように構成された錠剤用容器は、スライド箱を移動させ、外箱の切欠孔とスライド箱の計量室の開口の位置が一致したところで、外箱の本体に収容されていた内容物が計量室に流れこむか、あるいは落下するので、このスライド箱を移動させると前記上げ底と内容物が擦り切り状態で計量室内の分だけ分離され計量される。この状態で計量室から外部に排出することにより、所望の量が取り出せるとしている。
【０００４】
さらに、このような錠剤用容器には、取り出し口と操作口が開設され表蓋と裏蓋とを接合して形成された平坦な箱形のケース本体と、複数に区画された凹所からなる計量部を有し操作口に露出する操作部が設けられたスライド部材とから構成され、ケース本体内にスライド部材をスライド可能に装着しているものが存在する（特許文献２）。
【０００５】
このように構成された錠剤用容器は、スライド部材の計量部に区画された各凹所に錠剤を落とし込み、計量部の取り出し口からの出没量を規制して凹所を所望の数だけ出没させることにより、所望数の錠剤を確実に取り出すことができるとしている。
【先行技術文献】
【特許文献】
【０００６】
【特許文献１】特開平８−２０７９７２号公報
【特許文献２】特開平１１−１６５７７５号公報
【発明の概要】
【発明が解決しようとする課題】
【０００７】
しかしながら、特許文献１に示された錠剤用容器では、外箱にスライド箱をスライドさせるには、外箱とスライド箱との間に少しでも隙間がないとスライドさせることができないため最小限度の隙間を設けているが、この隙間から湿気が浸入することがあり、この湿気により錠剤の品質を劣化させてしまうことがあるという問題点を有していた。
【０００８】
また、特許文献１に示された錠剤用容器では、内容物が擦り切り状態で計量室内の分だけ分離され計量されるとしているので、内容物である錠剤の硬度が低い場合などには擦り傷が付くなどして、その錠剤の品質を劣化させてしまうことがあるという問題点を有していた。
【０００９】
さらに、特許文献２に示された錠剤用容器でも、ケース本体内にスライド部材をスライド可能に装着しているため、両者間には最小限度の隙間を設けており、特許文献１に示された錠剤用容器と同様に、湿気により錠剤の品質を劣化させてしまうことがあるという問題点を有していた。
【００１０】
また、特許文献２に示された錠剤用容器でも、スライド部材をスライドさせるため、ケース本体内の錠剤とスライド部材とが接触して、錠剤に擦り傷が付くなどして、この錠剤の品質を劣化させてしまうことがあるという問題点を有していた。
【００１１】
そこで、この発明は、上記従来の錠剤用容器が有する問題点を解決するものであり、内容物である錠剤をスライド方式を採用せずに取り出すことにより、錠剤に擦り傷が付くなどして、その錠剤の品質を劣化させてしまうことなく、しかも密閉性を良くして湿気による錠剤の品質劣化を防止した錠剤用容器を提供することを目的としてなされたものである。
【課題を解決するための手段】
【００１２】
そのため、この発明の錠剤用容器は、底板１に内周壁２を立設した平坦形状の容器体３と、この容器体３の内周壁２に嵌め込まれる外周壁４を天板５に垂設した蓋体６とからなり、前記容器体３には、底板１の一側端に一個の錠剤Ｔが入り込む挿入孔７を複数個、並設すると共に、これら挿入孔７を下方から閉鎖したり開放したりする開閉体８を取り付けたものとし、前記蓋体６には、前記容器体３の内周壁２の少なく上周端部が嵌め込まれる周溝６ａを、外周壁４の内周に形成したものとしている。
【００１３】
この発明の錠剤用容器において、前記容器体３の底板１には、収容した錠剤Ｔを挿入孔７側に案内する上り傾斜部１ａを形成したものとしている。
【００１４】
この発明の錠剤用容器において、前記容器体３の底板１には、収容した錠剤Ｔを挿入孔７側に案内する上り傾斜部１ａと、この上り傾斜部１ａに連接する上底部１ｂを形成したものとしている。
【００１５】
この発明の錠剤用容器において、前記蓋体６の天板５には、容器体３内に収容した錠剤Ｔとの隙間を調節するための複数のリブ９を形成したものとしている。
【００１６】
この発明の錠剤用容器において、前記挿入孔７の下方周囲には、入り込んだ錠剤Ｔを案内するための円筒体７ａを設けたものとしている。
【００１７】
この発明の錠剤用容器において、前記開閉体８は、両側部に突設した支持アーム１５のそれぞれの先端の外方に係止体１６を設けたものとし、これら係止体１６を前記蓋体６の外周壁４の両側壁４ａに対向させて設けた係止孔１７に内方から嵌め込むことにより、容器体３に回動自在として取り付けられている。
【００１８】
この発明の錠剤用容器において、前記開閉体８は、帯状部１８を介して容器体３の底板１と一体に成形することにより、容器体３に回動自在として取り付けられている。
【発明の効果】
【００１９】
この発明の錠剤用容器は、以上に述べたように構成されているので、内容物である錠剤Ｔを開閉体８の開放により取り出すことにより、錠剤Ｔに擦り傷が付くなどして、その錠剤Ｔの品質を劣化させてしまうことなく、しかも容器体３と蓋体６との密閉性を良くして湿気による錠剤Ｔの品質劣化を防止することができる。
【図面の簡単な説明】
【００２０】
【図１】この発明の錠剤用容器の一実施形態の分解斜視図である。
【図２】この発明の錠剤用容器を構成する容器体の平面図である。
【図３】図２中のＡ−Ａによる容器体の断面図である。
【図４】この発明の錠剤用容器を構成する蓋体の底面図である。
【図５】図４中のＢ−Ｂによる蓋体の断面図である。
【図６】この発明の錠剤用容器を構成する開閉体の平面図である。
【図７】図６中のＣ−Ｃによる開閉体の断面図である。
【図８】この発明の錠剤用容器の組み立て状態の断面図である。
【図９】この発明の錠剤用容器の他の実施形態の側面図である。
【図１０】図９に示す錠剤用容器の断面図である。
【図１１】図９に示す錠剤用容器を構成する容器体の底面図である。
【図１２】この発明の錠剤用容器から錠剤を取り出す操作を示す説明図である。
【発明を実施するための形態】
【００２１】
以下、この発明の錠剤用容器を実施するための形態を図面に基づいて詳細に説明する。
【００２２】
この発明の錠剤用容器は、図１に示したように、底板１に内周壁２を立設した平坦形状の容器体３と、この容器体３の内周壁２に嵌め込まれる外周壁４を天板５に垂設した蓋体６とからなる。
【００２３】
前記容器体３には、底板１の一側端に一個の錠剤Ｔが入り込む挿入孔７を複数個、並設すると共に、これら挿入孔７を下方から閉鎖したり開放したりする開閉体８を、底板１または内周壁２に回動自在として取り付けたものとしている。なお、前記挿入孔７の下方周囲には、入り込んだ錠剤Ｔを案内するための円筒体７ａを設けたものとすることができ、この場合には前記開閉体８はこれら円筒体７ａを下方から閉鎖したり開放したりするようにしている。
【００２４】
さらに、前記容器体３の底板１には、収容した錠剤Ｔを挿入孔７側に案内する上り傾斜部１ａと、この上り傾斜部１ａに連接する上底部１ｂを形成したものとしている。この上り傾斜部１ａは、後に述べるように容器体３を傾けたときに錠剤Ｔを挿入孔７の方へ移動させ易くするためのものである。また、上底部１ｂは、蓋体６の天板５との隙間を調節して、錠剤Ｔを挿入孔７に入り込ませるときに、錠剤Ｔを一列に整列させて、錠剤Ｔを挿入孔７に入り込ませ易くするためのものである。なお、前記上底部１ｂを形成したときには、前記挿入孔７は、この上底部１ｂに設けられている。
【００２５】
また、前記容器体３の底板１に形成される上り傾斜部１ａは、図１〜３などに示したように上り傾斜面としているが、図１０、１１に示したように、上り斜辺を有する多数の小突起Ｐを底板１に並設させたものとしてもよい。
【００２６】
前記蓋体６には、前記容器体３の内周壁２の少なく上周端部が嵌め込まれる周溝６ａを、外周壁４の内周に形成したものとしている。この周溝６ａに前記容器体３の内周壁２の少なく上周端部が嵌め込まれることにより、容器体３と蓋体６との密閉性が良くなる。
【００２７】
さらに、前記蓋体６の天板５には、容器体３内に収容した錠剤Ｔとの隙間を調節して、これら錠剤Ｔが容器体３内で重なり合わないようにするための複数のリブ９を形成したものとしている。
【００２８】
前記開閉体８は、底板１１の周囲に周壁１２を立設し、この周壁１２の外方に摘体１３を突設したものとし、底板１１には、容器体３の挿入孔７からの錠剤Ｔの受け部１４を設けている。
【００２９】
そして、前記開閉体８は、両側部に突設した支持アーム１５のそれぞれの先端の外方に係止体１６を設けたものとしており、これら係止体１６を前記蓋体６の外周壁４の両側壁４ａに対向させて設けた係止孔１７に内方から嵌め込むことにより、容器体３に回動自在として取り付けられ、容器体３の挿入孔７を下方から閉鎖したり開放したりするようにしている。このようにすることにより、前記開閉体８は、確実に開閉操作をすることができるので、操作性に優れたものとなる。
【００３０】
また、前記開閉体８は、図９、１０に示したように、帯状部１８を介して容器体３の底板１と一体に成形することにより、容器体３に回動自在として取り付けられ、容器体３の挿入孔７を下方から閉鎖したり開放したりすることもできる。このようにすることにより、前記開閉体８は、容器体３に簡単に取り付けることができるので、製造コストを抑えることができる。
【００３１】
さらに、前記開閉体８の摘体１３は、前記蓋体６の外周壁４の前壁４ｂに形成された切溝１０に無理嵌めされることにより、密閉性を保ちつつ開閉体８の閉鎖状態を保つようにしており、また開閉体８を開放する場合には、摘体１２を切溝１０から抜き外すようにすればよい。
【００３２】
なお、前記開閉体８の閉鎖状態を保つようにするには、前記挿入孔７の下方周囲に設けたそれぞれの円筒体７ａの外周にリブ１９を形成したものとし、これら円筒体７ａの直径方向のリブ１９の両外端面が前記開閉体８の周壁１２の対向面に圧接するように、前記円筒体７ａに開閉体８が無理嵌めされるようにしてもよい。
【００３３】
この発明の錠剤用容器は、以上に述べたように構成されており、以下その使用方法について説明する。
【００３４】
先ず、図８〜１０に示した状態のこの発明の錠剤用容器の容器体３内に多数個の錠剤Ｔを収容した状態にしておく。この状態では、容器体３に蓋体６が嵌め込まれており、容器体２と開閉体８との密閉性が良くなるので、湿気による錠剤Ｔの品質劣化を防止することができる。
【００３５】
そして、この発明の錠剤用容器を、図１２（ａ）に示したような水平な状態から、図１２（ｂ）に示したように開閉体８側が下方になるように前方に傾ける。すると、容器体３内の底板１上の錠剤Ｔのうち、開閉体８側の複数の錠剤Ｔが、傾斜部１ａを擦り上がり、上底部１ｂに送られ、この上底部１ｂを通過して挿入孔７に入り込み、蓋体８の底板１１の受け部１４に受け取られる。
【００３６】
次に、この発明の錠剤用容器を、図１２（ｃ）に示したように、開閉体８側が上方になるように後方に傾ける。すると、挿入孔７に入り込んだ錠剤Ｔはそのまま残り、上底部１ｂの錠剤Ｔは、この上底部１ｂから傾斜部１ａを滑って、容器体３内の底板１上に戻される。
【００３７】
そこで、この発明の錠剤用容器の開閉体８の摘体１３に指を掛けて、開閉体８を回動させれば、図１２（ｄ）に示したように、この開閉体８が開放された状態となり、開閉体８の底板１１の受け部１４に錠剤Ｔが載せられた状態となる。
【００３８】
そして、このように開閉体８の底板１１の受け部１４に載せられた状態の錠剤Ｔを指で摘んで取り出すか、図１２（ｄ）に示した状態から開閉体８が逆さまになるように容器体３を引っくり返して、錠剤Ｔを手のひらで受け取ればよい。
【００３９】
この発明の錠剤用容器では、図示したものは挿入孔７を四個、並設したものとして、錠剤Ｔを四個ずつ取り出せるものとしているが、挿入孔７の個数を増減させることにより、必要な個数の錠剤Ｔを取り出せるようにすることができるのはいうまでもない。
【００４０】
さらに、この発明の錠剤用容器では、容器体３内から錠剤Ｔを取り出す場合に、容器体３を前後に傾けると、容器体３内の多数の錠剤Ｔも前後に移動するが、蓋体６の天板５に設けられた複数のリブ９が、この天板５と容器体３の底板１との隙間を調節しており、多数の錠剤Ｔが容器体３内で上になったり、下になったりして重なり合うことがないので、錠剤Ｔに擦り傷が付き難くなる。
【００４１】
よって、この発明の錠剤用容器は、容器体３内の錠剤Ｔを開閉体８の開放により取り出すことにより、錠剤Ｔに擦り傷が付くなどして、その錠剤Ｔの品質を劣化させてしまうことなく、しかも容器体３と蓋体６との密閉性や、容器体３と開閉体８との密閉性が良くなり、湿気等による錠剤の品質劣化を防止することができるものとなる。
【符号の説明】
【００４２】
１  底板
１ａ  傾斜部
１ｂ  上底部
２  内周壁
３  容器体
４  外周壁
４ａ  側壁
６  蓋体
６ａ  周溝
７  挿入孔
７ａ  円筒体
８  開閉体
９  リブ
１５  支持アーム
１６  係止体
１７  係止孔
１８  薄肉部
Ｔ  錠剤
【図１】
2018144827.tif 000003
【図２】
2018144827.tif 000004
【図３】
2018144827.tif 000005
【図４】
2018144827.tif 000006
【図５】
2018144827.tif 000007
【図６】
2018144827.tif 000008
【図７】
2018144827.tif 000009
【図８】
2018144827.tif 000010
【図９】
2018144827.tif 000011
【図１０】
2018144827.tif 000012
【図１１】
2018144827.tif 000013
【図１２】
2018144827.tif 000014